(57)【要約】【課題】接地測定用端子の取り外しに要する時間を短縮する。【解決手段】電柱に取り付けられた接地測定用端子を取り外すための工具であって、本体部材１１０と、ボルト１２０と、ナット１３０，１６０と、ワッシャー１４０と、金属製プレート１５０とを備える。本体部材１１０は平坦部１１０ａと脚部１１０ｂとを有する。平坦部１１０ａには貫通孔２０１が形成されている。脚部１１０ｂは、電柱に当接され平坦部１１０ａと電柱との距離を一定に保持する。金属製プレート１５０には貫通孔２０２が形成されている。ボルト１２０は、ナット１３０，ワッシャー１４０，貫通孔２０２、貫通孔２０１、ナット１６０の順に通されている。【選択図】図１
2008286618.tif 000002
【特許請求の範囲】
【請求項１】
電柱に取り付けられた接地測定用端子を取り外すための工具であって、
貫通孔が形成された平坦部と、前記電柱に当接され前記平坦部と前記電柱との距離を一定に保持する脚部と、を有する本体部材と、
前記貫通孔を通して前記接地測定用端子のねじ穴にねじ込まれるボルト状部材と、
前記ボルト状部材の頭部と前記本体部材の平坦部との間の位置まで前記ボルト状部材にねじ込まれた第１のナット状部材とを備える、
ことを特徴とする工具。
【請求項２】
請求項１において、
前記ボルト状部材を通すための貫通孔を有する平板状部材を前記本体部材の平坦部と前記第１のナット状部材との間に設ける、
ことを特徴とする工具。
【請求項３】
請求項１において、
前記ボルト状部材の先端部にねじ込まれた第２のナット状部材をさらに備える、
ことを特徴とする工具。
【発明の詳細な説明】
【技術分野】
【０００１】
本発明は、電柱に取り付けられた接地測定用端子を取り外すための工具に関する。
【背景技術】
【０００２】
電力会社により定期的または臨時的に行われる保守業務の１つである接地抵抗測定において、共用・連接接地の単独抵抗値を測定する場合、電柱に取り付けられた接地測定用端子（図４（ａ）参照）を取り外して接地極を切り離す必要がある。
【０００３】
現状接地測定用端子を取り外す方法として、適切な方法がないため止むを得ず図４（ｂ）に示すように、接地測定用端子へ足場ボルトをねじ込み、上下に揺らしながら引き抜く方法が採用されている。
【０００４】
接地測定用端子はプラスチック製であるため、上下に揺らしながら引き抜くとネジ山が壊れて足場ボルトの引き抜きができなくなる場合がある。
【特許文献１】特開平９−５３７０号公報
【発明の開示】
【発明が解決しようとする課題】
【０００５】
ところが上述の足場ボルトによる引き抜きの場合接地測定用端子の取り外しに非常に時間を要していた。
【０００６】
本発明の目的は、接地測定用端子の取り外しに要する時間を短縮することができる工具を提供することである。
【課題を解決するための手段】
【０００７】
本発明による工具は、電柱に取り付けられた接地測定用端子を取り外すための工具であって、本体部材と、ボルト状部材と、第１のナット状部材とを備える。本体部材は、貫通孔が形成された平坦部と、前記電柱に当接され前記平坦部と前記電柱との距離を一定に保持する脚部とを有する。ボルト状部材は、前記貫通孔を通して前記接地測定用端子のねじ穴にねじ込まれる。第１のナット状部材は、前記ボルト状部材の頭部と前記本体部材の平坦部との間の位置まで前記ボルト状部材にねじ込まれている。
【０００８】
上記のように構成された工具を用いて接地測定用端子を以下のようにして取り外す。まず、本体部材の脚部を電柱に当接させ、接地測定用端子のねじ穴にボルト状部材をねじ込む。そして第１のナット状部材を接地測定用端子側（ボルト状部材の先端側）に締め付けていく。すると、ボルト状部材が本体部材の平坦部から浮き上がっていくとともに、ボルト状部材の先端部分に接続されている接地測定用端子が電柱から引き抜かれていく。このように、本発明による工具を用いれば、接地測定用端子を無理なく垂直方向に引き抜くことができ、取り外しに要する時間を短縮することができる。また、接地測定用端子を損傷・破損せずに取り外しができ、取り外した接地測定用端子を必要に応じて再利用することも可能である。
【０００９】
さらに、上記工具において、前記ボルト状部材を通すための貫通孔を有する平板状部材を前記本体部材の平坦部と前記第１のナット状部材との間に設けることが好ましい。
【００１０】
第１のナット状部材の締め付けの際に第１のナット状部材が本体部材の平坦部にくい込んでしまい第１のナット状部材の締め付けが困難になるという状況が起こりうる。しかし、上記平板状部材を設けた場合には、第１のナット状部材が平板状部材にくい込んだ状態で第１のナット状部材と平板状部材が回転するため、容易に第１のナット状部材を締め付けていくことができる。
【００１１】
また、上記工具において、前記ボルト状部材の先端部にねじ込まれた第２のナット状部材をさらに備えることが好ましい。これにより、ボルト状部材の先端部の接地測定用端子への固定を強化することができる。
【００１２】
また、上記工具において、前記第１のナット状部材の側面に取り付けられた棒状部材をさらに備えることが好ましい。これにより、第１のナット状部材を手回しにより締め付けることが可能となる。
【００１３】
また、上記工具において、棒状部材の先端部を着脱可能な穴が前記第１のナット状部材の側面に形成されていることが好ましい。これにより、スパナ等の工具による締め付け、手回しによる締め付けを必要に応じて選択可能となる。
【００１４】
また、上記工具において、前記本体部材の脚部のうち前記電柱に当接される部分が曲線状に形成されていることが好ましい。
【発明の効果】
【００１５】
以上のように、本発明による工具を用いれば、接地測定用端子を無理なく垂直方向に引き抜くことができ、取り外しに要する時間を短縮することができる。
【発明を実施するための最良の形態】
【００１６】
本発明の実施形態による取り外し工具の外観構成を図１に示す。この工具は、電柱に取り付けられた接地測定用端子を取り外すための工具であって、本体部材１１０と、ボルト１２０と、ナット１３０，１６０と、ワッシャー１４０と、金属製プレート１５０とを備えている。本体部材１１０は平坦部１１０ａと脚部１１０ｂとを有している。平坦部１１０ａには貫通孔２０１が形成されている。貫通孔２０１の径はボルト１２０を抜き差し可能な大きさである。脚部１１０ｂは、電柱に当接され平坦部１１０ａと電柱との距離を一定に保持する役割を有する。なお、本体部材１１０は木製あるいは金属製のいずれでもよい。金属製プレート１５０には貫通孔２０２が形成されている。貫通孔２０２の径はボルト１２０の軸径よりも大きくナット１３０の外径よりも小さい。ボルト１２０は、ナット１３０，ワッシャー１４０，貫通孔２０２、貫通孔２０１、ナット１６０の順に通されている。
【００１７】
次に、図１に示した工具を用いて接地測定用端子を取り外す手順につて図２を参照しつつ説明する。
【００１８】
まず、図２（ａ）に示すように、本体部材１１０の脚部１１０ｂを電柱に当接させ、接地測定用端子のねじ穴にボルト１２０をねじ込む。そしてナット１６０を接地測定用端子側に締め付け、ボルト１２０の先端部をしっかりと接地測定用端子へ固定する。なお、図３（ａ）に示すように、脚部１１０ｂのうち電柱に当接される部分が電柱の外周に合わせて曲線状に形成されているとさらに好ましい。
【００１９】
次に、図２（ｂ）に示すように、ナット１３０を接地測定用端子側（ボルトの先端側）にスパナを用いて締め付けていく。なお、図３（ｂ）に示すように、ナット１３０の側面に棒状部材１７０を取り付けることにより、ナット１３０を手回しにより締め付けることが可能となる。また、棒状部材１７０の先端部を着脱可能な穴をナット１３０の側面に形成することにより、スパナ等の工具による締め付け、手回しによる締め付けを必要に応じて選択可能となる。
【００２０】
ナット１３０を締め付けていくと、図２（ｃ）（ｄ）に示すように、ボルト１２０が本体部材１１０の平坦部１１０ａから浮き上がっていくとともに、ボルト１２０の先端部分に接続されている接地測定用端子が電柱から引き抜かれていく。
【００２１】
なお、ナット１３０の締め付けの際にナット１３０が金属製プレート１５０にくい込んでしまうという状況が起こりうるが、その場合にはナット１３０が金属製プレート１５０にくい込んだ状態でナット１３０と金属製プレート１５０が回転するため（図２（ｄ）参照）、容易にナット１３０を締め付けていくことができる。ちなみに金属製プレート１５０を設けていない場合には、ナット１３０が本体部材１１０の平坦部１１０ａにくい込んでしまいナット１３０の締め付けが困難になる。
【００２２】
以上のように、本実施形態による取り外し工具を用いれば、接地測定用端子を無理なく垂直方向に引き抜くことができ、取り外しに要する時間を短縮することができる。参考までに実験結果を示すと、従来手法では３０分程度の時間を要していたものが、本実施形態による取り外し工具を用いることにより１分程度に短縮された。
【００２３】
また、取り外した接地測定用端子は、通常、図３（ｃ）に示すような新型タイプのものに取り替えるが、本実施形態による取り外し工具を用いれば接地測定用端子を損傷・破損せずに取り外しができるため、取り外した接地測定用端子を必要に応じて再利用することも可能である。
【産業上の利用可能性】
【００２４】
本発明による工具は、電柱に取り付けられた接地測定用端子の取り外しに有用であり、本発明による工具を用いることにより、取り外しに要する時間を短縮することができる。
【図面の簡単な説明】
【００２５】
【図１】本発明の実施形態による取り外し工具の外観構成を示す図である。
【図２】図１に示した工具を用いて接地測定用端子を取り外す手順を示す図である。
【図３】（ａ）は、脚部１１０ｂを曲線状に形成した例を示す図である。（ｂ）は、ナット１３０の締め付けの変形例を示す図である。（ｃ）は、新型タイプの接地測定用端子の外観構成を示す図である。
【図４】（ａ）は、電柱に取り付けられた接地測定用端子の外観構成を示す図である。（ｂ）は、接地測定用端子へ足場ボルトをねじ込み上下に揺らしながら引き抜く方法の概況を示す図である。
【符号の説明】
【００２６】
１１０  本体部材
１１０ａ  平坦部
１１０ｂ  脚部
１２０  ボルト
１３０  ナット（第１のナット状部材）
１４０  ワッシャー
１５０  金属製プレート（平板状部材）
１６０  ナット（第２のナット状部材）
１７０  棒状部材
２０１，２０２  貫通孔
【図１】
2008286618.tif 000003
【図３】
2008286618.tif 000004
【図２】
2008286618.tif 000005
【図４】
2008286618.tif 000006